(57)【要約】  【課題】  同一機器で曲名などを表示および入力することのできる自動演奏装置を提供する。  【解決手段】  自動演奏装置１に、複数の楽曲を示す情報を表示すると共に、タッチパネルで指示された楽曲を示す情報を入力するタッチパネル装置６５と、タッチパネル装置６５から入力された楽曲を示す情報に対応する楽曲を再生するＤＶＤ装置と、ＤＶＤ装置で再生された楽曲の音響を出力するアンプおよびスピーカと、を備え、ＤＶＤ装置、アンプおよびスピーカを装置筐体に内蔵して、タッチパネル装置６５を装置筐体の正面パネル６に形成する。【選択図】  図１
2005166079.tif 000002
【特許請求の範囲】
【請求項１】
指示された楽曲を演奏する自動演奏装置であって、複数の楽曲を示す情報を表示すると共に、指示された楽曲を示す情報を入力する表示入力手段と、表示入力手段から入力された楽曲を示す情報に対応する楽曲を再生する楽曲再生手段と、楽曲再生手段で再生された楽曲の音響を出力する音響出力手段と、を備え、
表示入力手段が装置筐体の正面パネルの一部に形成されたことを特徴とする自動演奏装置。
【請求項２】
前記表示入力手段に、楽曲再生手段で再生された楽曲の音響を出力するときの音量、音質を含む音響情報を複数表示し、入力された音響情報により音響出力手段が前記楽曲の音響を出力するようにしたことを特徴とする請求項１に記載の自動演奏装置。
【発明の詳細な説明】
【技術分野】
【０００１】
本発明は、タッチパネル装置などの表示入力手段に楽曲を示す情報を複数表示し、これらから入力された楽曲を示す情報に応じて楽曲を演奏するようにした自動演奏装置に関するものである。
【背景技術】
【０００２】
従来の自動演奏装置（例えばジュークボックス）は、楽曲を選択するための遠隔操作用の機器（以下、リモコンという）を備え、利用者がリモコンを用いて演奏楽曲を選択している（例えば、特許文献１参照）。
【特許文献１】特開２００３−１７３１９２号公報（第５頁右下段の段落００４０、第２図）
【発明の開示】
【発明が解決しようとする課題】
【０００３】
しかしながら、従来の自動演奏装置においては、リモコンに設定されるボタン数や操作の種類が限られるために、利用者が、例えば曲名が印刷された専用の冊子を参照しながら曲番号を押下するなど、曲名の選択操作がやや煩雑であり、操作性についてさらに改善の余地がある。
【０００４】
本発明は、従来の問題点を解決するためになされたもので、同一機器で曲名などを表示および入力することのできる自動演奏装置を提供することを目的とする。
【課題を解決するための手段】
【０００５】
上記課題を解決するために、本発明の自動演奏装置は、指示された楽曲を演奏する自動演奏装置であって、複数の楽曲を示す情報を表示すると共に、指示された楽曲を示す情報を入力する表示入力手段（例えばタッチパネル装置６５）と、表示入力手段から入力された楽曲を示す情報に対応する楽曲を再生する楽曲再生手段（例えばＤＶＤ装置３）と、楽曲再生手段で再生された楽曲の音響を出力する音響出力手段（例えばアンプ４、スピーカ５）と、を備え、表示入力手段が装置筐体の正面パネル（例えば正面パネル６）の一部に形成された構成を有している。
【０００６】
また、本発明の自動演奏装置は、前記表示入力手段に、楽曲再生手段で再生された楽曲の音響を出力するときの音量、音質を含む音響情報を複数表示し、入力された音響情報により音響出力手段が前記楽曲の音響を出力するようにした構成を有している。
【発明の効果】
【０００７】
本発明は、複数の曲名を表示すると共に、指示された楽曲を示す情報を入力する表示入力手段を、装置筐体の正面部に形成することにより、同一機器で曲名を表示および入力でき、リモコンによる曲名選択操作に比べて、曲名の選択が容易であるという効果を有する自動演奏装置を提供することができる。
【発明を実施するための最良の形態】
【０００８】
以下、本発明の実施形態に係る自動演奏装置について、図面を用いて説明する。まず、構成を説明する。本発明の実施の一形態に係る自動演奏装置を図１に示す。また、図１の背面を図２に示す。
【０００９】
図１、図２において、自動演奏装置１は、演出用の人形２１（後述の「構造物」に相当する）と、ＤＶＤ（Digital Versatile Disk）装置３、アンプ４、スピーカ５ａ、５ｂなどの機器と、が収容された筐体を有し、この筐体の正面に、正面パネル６が取付けられている。正面パネル６には、ガラス窓６１ａを有する開閉部６１と、タッチパネル装置６５と、アンプ４の液晶表示部４１ａ、４１ｂと、略Ｕ字形状の電飾ランプ６４ａ、６４ｂと、この電飾ランプ６４ａ、６４ｂを点灯、消灯するための照明ボタン６２と、自動演奏装置１の主電源をオン、オフするための主電源ボタン６３と、が形成されている。
【００１０】
演出用の人形２１などの構造物は、筐体内に設けられた棚板２２ａ上に載置されている。ここで、演出用の人形２１などは、開閉部６１のガラス窓６１ａを通して目視できるようにしている。また、開閉部６１は、演出用の人形２１などを取出すために、蝶番などにより開閉可能に構成されている。なお、図１は人形２１が載置されていない場合を示す。
【００１１】
ＤＶＤ装置３は、筐体内に設けられた棚板２２ｂ上に載置されている。ここでは、複数の楽曲の音楽データを楽曲を示す情報（例えば「曲名」、「曲名に付与された番号」）ごとに記憶した再生専用のＤＶＤ‐ＲＯＭを搭載し、タッチパネル装置６５から入力された、楽曲を示す情報に対応する楽曲を再生するようにしている。また、ＤＶＤ装置３の制御回路（不図示）は、ＤＶＤ‐ＲＯＭから音楽データを読み出す機能、アンプ４に入力する信号の大きさを多段階（複数）に調整する音量調整（ボリウムコントロール）機能、高音域（例えば、周波数１ｋＨｚ以上）、低音域（例えば、周波数１００Ｈｚ以下）を増減して楽曲のトーンを多段階（複数）に調整する音質調整（トーンコントロール）機能などを有する。
【００１２】
アンプ４は、ＤＶＤ装置３で再生された楽曲の音楽データに相当する信号を増幅する増幅器であって、筐体内に設けられた棚板２２ｃ上に載置されている。また、アンプ４においては、所謂、コントロールアンプ、グラフィックイコライザ、デバイディングアンプ、パワーアンプなどが順に配設され、ここではスピーカ５ａ、５ｂがマルチウェイシステム（例えば「ツィータ」、「ウーハ」の２ウェイシステム）を構成するために、パワーアンプの前段でパワーアンプに入力する信号を周波数によって各種スピーカに分割するようにしている。この場合、パワーアンプは、スピーカの種類により複数設けるようにする。さらに、アンプ４には、液晶表示部４１ａ、４１ｂを有し、液晶画面に再生楽曲の音量、音質などを表示するようにしている。
【００１３】
スピーカ５ａ、５ｂは、周知のようにアンプ４で増幅された信号により、磁界中のボイスコイルに通電し、このときのボイスコイルの動きを振動板に伝播して振動させることにより、音波を発生させるようにしている。ここでは、音域ごとに専用のスピーカユニットを設け、例えば「ツィータ」、「ウーハ」のユニットを組み合わせて１台のスピーカシステムとしてる。また、スピーカ５ａ、５ｂは、筐体内に設けられた載置台２３ａ、２３ｂ上にそれぞれ載置されている。
【００１４】
タッチパネル装置６５は、正面パネル６上で開閉部６１と液晶表示部４１ａ、４１ｂとの間に形成されている。このタッチパネル装置６５は、例えば矩形の液晶画面を有する液晶表示器と、この液晶表示器上に形成された透明のタッチパネルと、を有し、利用者がタッチパネル上で触れた位置を指示し、この位置に液晶画面で表示されている情報を入力するようにしたポインティングデバイスである。ここでは、上記ＤＶＤ‐ＲＯＭに記憶された複数の楽曲を示す情報を液晶表示器に表示し、タッチパネル上で指示された位置に表示されている楽曲を示す情報を入力するようにしている。なお、入力された楽曲を示す情報は、制御回路１２（図４に示す）に送られる。
【００１５】
ここで、タッチパネル装置６５の液晶画面の表示例を図３に示す。
【００１６】
図３において、液晶画面６５ｃには、上記ＤＶＤ‐ＲＯＭに記憶された複数の楽曲を示す情報を含む「曲名メニュー」が表示されている。利用者が、複数の楽曲を示す情報の表示位置のいずれかに触れると、その位置座標がタッチパネル上で指示され、その位置座標に対応する楽曲を示す情報が入力されるようにしている。
【００１７】
本発明の実施の一形態に係る自動演奏装置１の制御系を図４に示す。
【００１８】
図４において、自動演奏装置１は、ＤＶＤ装置３と、アンプ４と、スピーカ５（図２の５ａ、５ｂに相当する）と、制御回路１２と、タッチパネル装置６５と、電飾ランプ６４（図１の６４ａ、６４ｂに相当する）と、演出ランプ２４と、照明ボタン６２と、主電源ボタン６３と、で構成されている。ここで、タッチパネル装置６５は、選択された楽曲を示す情報をＤＶＤ装置３又はアンプ４に送信し、アンプ４は、この楽曲を示す情報に応じてＤＶＤ装置３のＤＶＤ‐ＲＯＭに記憶されている音声データを取出す。また、アンプ４は、音声出力端子から音声データを出力し、このデータは、制御回路１２、スピーカ５に入力される。制御回路１２は、これらの入力されたデータにより、演出ランプ２４等を制御している。ここで、制御回路１２は、この入力されたデータにより、演出ランプ２４の点灯の要否を判断し、演出ランプ２４を点灯、消灯を制御している。なお、制御回路１２は、１つの楽曲の演奏が終了する度に演出ランプ２４を消灯させるように制御してもよい。
【００１９】
このような本発明の実施の一形態に係る自動演奏装置１によれば、複数の楽曲を示す情報を表示すると共に、タッチパネルで指示された位置に表示された楽曲を示す情報を入力するタッチパネル装置６５と、タッチパネル装置６５から入力された楽曲を示す情報に対応する楽曲を再生するＤＶＤ装置３と、ＤＶＤ装置３で再生された楽曲の音響を出力するアンプ４およびスピーカ５と、を備え、タッチパネル装置６５が装置筐体の正面パネル６に形成されているので、利用者は、リモコンによる操作に比べて曲名を容易に選択できるようになる。したがって、自動演奏装置１の操作性が向上することが期待される。上述した構成は、請求項１に係る発明の実施の一形態に相当する。
【００２０】
なお、上述した実施形態ではタッチパネル装置６５に楽曲を示す情報を表示し、利用者に指示入力させるようにした場合について説明したが、本発明はこのほかに、ＤＶＤ装置３で再生された楽曲の音響を出力するときの音量、音質（「音響情報」に相当する）を複数、段階的に表示し、利用者に指示入力させて、指示された音量、音質によりスピーカ５が前記楽曲の音響を出力するようにしても同様の効果が期待される。この場合には、さらにリモコンに比べて設定される操作の種類が増し、利用者の利便性および自動演奏装置１の操作性が向上することが期待される。上述した構成は、請求項２に係る発明の実施の一形態に相当する。
【００２１】
また、上述した実施形態では制御回路１２がＤＶＤ装置３、アンプ４を駆動制御するようにした場合について説明したが、本発明はこのほかに、アンプ４とＤＶＤ装置３のいずれか又は双方を遠隔操作するためのリモコンを設け、タッチパネル装置６５を選曲操作専用とし、楽曲の再生および音響出力などの制御についてはリモコンで遠隔操作するようにしてもよい。あるいは、タッチパネル装置６５が上述した制御回路１２の機能を有し、自動演奏装置１本体の制御系によらずに楽曲の再生および音響出力を制御するようにしても同様の効果が期待される。
【００２２】
また、上述した実施形態では表示入力手段としてタッチパネル装置６５を用いた場合について説明したが、本発明はこのほかに、例えば楽曲を示す情報などの表示および指示入力が可能な携帯情報端末などを適用しても、同様の効果が期待される。
【００２３】
また、上述した実施形態ではＤＶＤ装置３、アンプ４などの機器を具備した自動演奏装置１について説明したが、本発明はこのほかに、マイクを追加し、さらに通信インタフェースを備えた構成としても同様の効果が期待される。この場合、マイクにより所謂カラオケ機能を実現し、通信インタフェースを介して楽曲の音楽データを取得するようにしてもよい。
【図面の簡単な説明】
【００２４】
【図１】本発明の実施の一形態に係る自動演奏装置の外観（正面）を示す斜視図である。
【図２】本発明の実施の一形態に係る自動演奏装置の外観（背面）を示す斜視図である。
【図３】本発明の実施の一形態に係るタッチパネル装置の液晶画面を示す図である。
【図４】本発明の実施の一形態に係る自動演奏装置の制御系を示すブロック図である。
【符号の説明】
【００２５】
１  自動演奏装置
２  キャビネット
３  ＤＶＤ装置
４  アンプ
５ａ、５ｂ  スピーカ
６  正面パネル
２１  人形
２２ａ、２２ｂ、２２ｃ  棚板
２３ａ、２３ｂ  載置台
４１ａ、４１ｂ  液晶表示部
６１  開閉部
６１ａ  ガラス窓
６２  照明ボタン
６３  主電源ボタン
６４ａ、６４ｂ  電飾ランプ
６５  タッチパネル装置
【図１】
2005166079.tif 000003
【図２】
2005166079.tif 000004
【図３】
2005166079.tif 000005
【図４】
2005166079.tif 000006